(57)【特許請求の範囲】
【請求項１】
携帯可能な端末装置であって、
自端末と少なくとも１つの他の端末との距離に関する情報の提供を要求する手段と、
要求した情報を通話チャネルとは異なる制御チャネルにて受信する手段と、
受信した情報を表示する手段とを備え、
前記情報の提供要求後に、前記情報の提供要求を解除する要求を行うまで、一定時間間隔にて又は位置登録要求を行う毎に前記要求した情報を受信することを特徴とする携帯端末装置。
【請求項２】
携帯可能な端末装置であって、
自端末と少なくとも１つの他の端末との距離に関する情報の提供を要求する手段と、
要求した情報を通話チャネルとは異なる制御チャネルにて受信する手段と、
受信した情報を表示する手段とを備え、
前記自端末および前記他の端末の両者が要求を行った場合にのみ、前記要求した情報を受信することを特徴とする携帯端末装置。
【請求項３】
さらに、前記要求した情報を位置登録要求に対する応答信号から抽出する手段を備え、抽出した情報を前記表示手段に表示することを特徴とする請求項１記載の携帯端末装置。
【請求項４】
前記位置登録要求を行う毎に前記要求した情報を受信することを特徴とする請求項３記載の携帯端末装置。
【請求項５】
前記情報の提供要求後に、予め定められた一定時間間隔にて前記要求した情報を受信して表示することを特徴とする請求項１記載の携帯端末装置。
【請求項６】
前記距離に関する情報は、基地局がカバーする通信エリアに基づく段階的な情報であることを特徴とする請求項１乃至５のいずれかに記載の携帯端末装置。
【請求項７】
携帯可能な端末装置の位置情報取得方法であって、
自端末と少なくとも１つの他の端末との距離に関する情報の提供を要求し、
要求した情報を通話チャネルとは異なる制御チャネルにて受信し、
受信した情報を表示し、
前記情報の提供要求後に、前記情報の提供要求を解除する要求を行うまで、一定時間間隔にて又は位置登録要求を行う毎に前記要求した情報を受信することを特徴とする携帯端末装置の位置情報取得方法。
【請求項８】
携帯可能な端末装置の位置情報取得方法であって、
自端末と少なくとも１つの他の端末との距離に関する情報の提供を要求し、
要求した情報を通話チャネルとは異なる制御チャネルにて受信し、
受信した情報を表示し、
前記自端末および前記他の端末の両者が要求を行った場合にのみ、前記要求した情報を受信することを特徴とする携帯端末装置の位置情報取得方法。
【請求項９】
さらに、前記要求した情報を位置登録要求に対する応答信号から抽出し、抽出した情報を表示することを特徴とする請求項７記載の携帯端末装置の位置情報取得方法。
【請求項１０】
前記位置登録要求を行う毎に前記要求した情報を受信することを特徴とする請求項９記載の携帯端末装置の位置情報取得方法。
【請求項１１】
移動端末装置と、前記移動端末装置と無線にて通信を行う基地局と、前記移動端末装置の位置に関する情報を蓄積するセンター装置とからなる移動体通信システムであって、
１つの移動端末装置からの他の移動端末装置との距離に関する情報提供の要求を受信する手段と、
前記要求の受信後、前記１つの移動端末装置からの位置登録要求を受信する手段と、
前記位置登録要求に対して、前記距離に関する情報を前記１つの移動端末装置に通話チャネルとは異なる制御チャネルにて送信する手段とを備え、
前記１つの移動端末装置と前記他の移動端末装置の両方からの前記情報提供の要求を受信した場合に、前記情報を両移動端末装置に送信することを特徴とする移動体通信システム。
【請求項１２】
さらに、前記他の移動端末装置の位置情報を検出し、検出した他の移動端末装置の位置情報と前記１つの移動端末装置の位置情報とから前記距離に関する情報を検出することを特徴とする請求項１１に記載の移動体通信システム。
【請求項１３】
前記距離に関する情報は、通信圏内であるゾーンを構成する基地局のゾーン単位に基づいて検出されることを特徴とする請求項１１又は１２のいずれかに記載の移動体通信システム。
【請求項１４】
前記両移動端末装置の何れか一方の位置登録要求に応答して前記情報を送信することを特徴とする請求項１３記載の移動体通信システム。
【請求項１５】
移動端末装置と、前記移動端末装置と無線にて通信を行う基地局と、前記移動端末装置の位置に関する情報を蓄積するセンター装置とからなる移動体通信システムであって、
１つの移動端末装置からの他の移動端末装置との距離に関する情報提供の要求を受信する手段と、
前記要求の受信後、前記要求を解除する要求を受信するまで、予め定められた一定時間間隔にて又は前記位置登録要求を受信する毎に前記距離に関する情報を前記１つの移動端末装置に通話チャネルとは異なる制御チャネルにて送信する手段とを備えたことを特徴とする移動体通信システム。
【請求項１６】
移動端末装置の位置情報を通知する方法であって、
１つの移動端末装置から他の移動端末装置との距離に関する情報を取得する要求を行い、前記要求に対して、前記距離に関する情報を前記１つの移動端末装置に通話チャネルとは異なる制御チャネルにて提供し、
前記１つの移動端末装置との距離に関する情報を取得する要求を受けた後、前記情報を取得する要求を解除する要求を受けるまで、予め定められた一定時間間隔又は位置登録要求を受信する毎に前記距離に関する情報を送信することを特徴とする位置情報通知方法。
【請求項１７】
移動端末装置の位置情報を通知する方法であって、
１つの移動端末装置から他の移動端末装置との距離に関する情報を取得する要求を行い、前記要求に対して、前記距離に関する情報を前記１つの移動端末装置に通話チャネルとは異なる制御チャネルにて提供し、
前記他の移動端末装置からの前記１つの移動端末装置との距離に関する情報を取得する要求を受け、前記１つおよび他の移動端末装置に対して、前記距離に関する情報を送信することを特徴とする位置情報通知方法。
【発明の詳細な説明】
【０００１】
【発明の属する技術分野】
本発明は、移動端末の位置に関する情報を入手する携帯端末装置および位置情報入手方法または移動端末間の位置に関する情報を提供する移動通信システムおよび位置情報通知方法に関する。
【０００２】
【従来の技術】
携帯端末装置の位置に関する情報を提供する技術に係わるものとして、次のようなものがある。
【０００３】
移動無線通信端末装置が位置する地域の情報をその端末装置に提供し、表示させる無線通信システムとしては、例えば、特開平９−３２２２４５号公報に記載されている。同号公報のシステムでは、ユーザが端末装置を操作して、地域情報の入手要求をシステム側へ送ると、システム側では、その端末装置の位置登録情報に基づいて、その地域の地図情報を送信する。
【０００４】
また、通信相手の位置情報を表示する移動通信システムとしては、例えば、特開平１０−４５８３号公報に記載されている。同号公報のシステムでは、ホームメモリ局に携帯電話機の位置登録情報を記憶させておき、システム側では、１つの携帯電話機が発呼する場合、その携帯電話機のホームメモリ局より位置登録情報を読み出して、読み出した位置登録情報を含む着信信号を相手先の携帯電話機へ送信する。着信側の携帯電話機では、着信に際し、発呼側の携帯電話機の位置情報（例えば、市町村名）を表示する。その後、着信側の携帯電話機が通信に応じる場合に、着信側の携帯電話機のホームメモリ局より着信側の携帯電話機の位置登録情報を読みだし、発呼側の携帯端末装置に応答信号中に含めて送信し、発呼側の携帯電話機に表示させる。また、通話中に、一方の携帯電話機が位置登録エリアを移動すると、移動先の位置登録情報をチャネル切替信号にて相手側の携帯電話機に送り、表示させる。
【０００５】
【発明が解決しようとする課題】
しかしながら、前者のシステムでは、自分が携帯している端末装置が存在するエリアの地域情報が表示されるに過ぎない。
【０００６】
そのため、例えば、待ち合わせ等をしている場合、このシステムでは、相手が今どのあたりまで来ているかを知ることはできない。このような場合、待ち合わせ相手が携帯している携帯電話に電話して、相手と通話を行うことにより、その情報を知ることはできるが、通話回線が混雑していて、回線がつながらない場合には、知ることができない。特に駅近辺のように、待ち合わせがよく行われるような場所では、回線がつながらない場合が有り得る。
【０００７】
一方、後者のシステムでは、通信相手先の位置情報が表示されるので、表示部を見ることにより相手先の位置情報を知ることはできるが、待ち合わせ相手の携帯電話に発呼し、かつ相手先が応答し通話が可能になることが前提であるため、やはり通話回線が混雑している場合には、相手先の位置情報を知ることができない。
【０００８】
また、相手先の位置情報を知りたい場合には、その都度相手先に対して発呼するか、あるいは１度発呼した後、通話状態を維持し続ける必要がある。
【０００９】
さらに、両者のシステムでは、自分あるいは相手の何れか一方の情報が分かるだけで、自分と相手先との位置関係について知ることはできない。
【００１０】
本発明の目的は、上述した課題を解決し、改良された携帯端末装置およびその位置情報取得方法ならびに移動体通信システムおよび位置情報通知方法を提供することにある。
【００１１】
本発明の他の目的は、通話チャネルを使用することなく、移動端末の位置情報を取得することが可能な携帯端末装置およびその位置情報取得方法ならびに移動体通信システムおよび位置情報通知方法を提供することにある。
【００１２】
本発明のさらに他の目的は、最小回数の設定により、移動端末の位置情報を複数回入手することが可能な携帯端末装置およびその位置情報取得方法ならびに移動体通信システムおよび位置情報通知方法を提供することにある。
【００１３】
本発明のさらに他の目的は、自端末と相手端末との位置関係に係わる情報を入手することが可能な携帯端末装置およびその位置情報取得方法ならびに移動体通信システムおよび位置情報通知方法を提供することにある。
【００１４】
【課題を解決するための手段】
上述した目的を達成するために、本願発明による携帯端末装置は、携帯可能な端末装置であって、自端末と少なくとも１つの他の端末との距離に関する情報の提供を要求する手段と、要求した情報を通話チャネルとは異なる制御チャネルにて受信する手段と、受信した情報を表示する手段とを備え、前記情報の提供要求後に、前記情報の提供要求を解除する要求を行うまで、一定時間間隔にて又は位置登録要求を行う毎に前記要求した情報を受信することを特徴とする。
【００１５】
上述した目的を達成するために、本願発明による携帯端末装置は、携帯可能な端末装置であって、自端末と少なくとも１つの他の端末との距離に関する情報の提供を要求する手段と、要求した情報を通話チャネルとは異なる制御チャネルにて受信する手段と、受信した情報を表示する手段とを備え、前記自端末および前記他の端末の両者が要求を行った場合にのみ、前記要求した情報を受信することを特徴とする。
【００１６】
さらに、前記要求した情報を位置登録要求に対する応答信号から抽出する手段を備え、抽出した情報を前記表示手段に表示してもよい。
【００１７】
また、前記位置登録要求を行う毎に前記要求した情報を受信することも好ましい。
【００１８】
また、前記情報の提供要求後に、予め定められた一定時間間隔にて前記要求した情報を受信して表示してもよい。さらに、前記距離に関する情報は、基地局がカバーする通信エリアに基づく段階的な情報であることも可能である。
【００１９】
上述した目的を達成するために、本願発明による携帯端末装置の位置情報取得方法は、携帯可能な端末装置の位置情報取得方法であって、自端末と少なくとも１つの他の端末との距離に関する情報の提供を要求し、要求した情報を通話チャネルとは異なる制御チャネルにて受信し、受信した情報を表示し、前記情報の提供要求後に、前記情報の提供要求を解除する要求を行うまで、一定時間間隔にて又は位置登録要求を行う毎に前記要求した情報を受信することを特徴とする。
【００２０】
上述した目的を達成するために、本願発明による携帯端末装置の位置情報取得方法は、携帯可能な端末装置の位置情報取得方法であって、自端末と少なくとも１つの他の端末との距離に関する情報の提供を要求し、要求した情報を通話チャネルとは異なる制御チャネルにて受信し、受信した情報を表示し、前記自端末および前記他の端末の両者が要求を行った場合にのみ、前記要求した情報を受信することを特徴とする。
【００２１】
さらに、前記要求した情報を位置登録要求に対する応答信号から抽出し、抽出した情報を表示することも可能である。また、前記位置登録要求を行う毎に前記要求した情報を受信してもよい。
【００２２】
上述した目的を達成するために、本願発明による移動体通信システムは、移動端末装置と、前記移動端末装置と無線にて通信を行う通信装置と、前記移動端末装置の位置に関する情報を蓄積するセンター装置とからなる移動体通信システムであって、１つの移動端末装置からの他の移動端末装置との距離に関する情報提供の要求を受信する手段と、前記要求の受信後、前記１つの移動端末装置からの位置登録要求を受信する手段と、前記位置登録要求に対して、前記距離に関する情報を前記１つの移動端末装置に通話チャネルとは異なる制御チャネルにて送信する手段とを備え、前記１つの移動端末装置と前記他の移動端末装置の両方から又は一方からの前記情報提供の要求を受信した場合に、前記情報を両移動端末装置に送信することを特徴とする。
【００２３】
さらに、前記他の移動端末装置の位置情報を検出し、検出した他の移動端末装置の位置情報と前記１つの移動端末装置の位置情報とから前記距離に関する情報を検出することが好ましい。
【００２４】
また、前記距離に関する情報は、通信圏内であるゾーンを構成する基地局のゾーン単位に基づいて検出されることも好ましい。
【００２５】
さらに、前記両移動端末装置の何れか一方の位置登録要求に応答して前記情報を送信してもよい。
【００２６】
上述した目的を達成するために、本願発明による移動体通信システムは、移動端末装置と、前記移動端末装置と無線にて通信を行う通信装置と、前記移動端末装置の位置に関する情報を蓄積するセンター装置とからなる移動体通信システムであって、１つの移動端末装置からの他の移動端末装置との距離に関する情報提供の要求を受信する手段と、前記要求の受信後、前記要求を解除する要求を受信するまで、予め定められた一定時間間隔にて又は前記位置登録要求を受信する毎に前記距離に関する情報を前記両移動端末装置の一方又は双方に通話チャネルとは異なる制御チャネルにて送信する手段とを備えたことを特徴とする。
【００２７】
上述した目的を達成するために、本願発明による移動端末装置の位置情報通知方法は、
移動端末装置の位置情報を通知する方法であって、１つの移動端末装置から他の移動端末装置との距離に関する情報を取得する要求を行い、前記要求に対して、前記距離に関する情報を前記１つの移動端末装置に通話チャネルとは異なる制御チャネルにて提供し、前記１つの移動端末装置との距離に関する情報を取得する要求を受けた後、前記情報を取得する要求を解除する要求を受けるまで、予め定められた一定時間間隔又は位置登録要求を受信する毎に前記距離に関する情報を送信することを特徴とする。
【００２８】
上述した目的を達成するために、本願発明による移動端末装置の位置情報通知方法は、移動端末装置の位置情報を通知する方法であって、１つの移動端末装置から他の移動端末装置との距離に関する情報を取得する要求を行い、前記要求に対して、前記距離に関する情報を前記１つの移動端末装置に通話チャネルとは異なる制御チャネルにて提供し、前記他の移動端末装置からの前記１つの移動端末装置との距離に関する情報を取得する要求を受け、前記１つおよび他の移動端末装置に対して、前記距離に関する情報を送信することを特徴とする。
【００２９】
【発明の実施の形態】
次に本発明について図面を参照して詳細に説明する。
【００３０】
図１は、本発明の好適な一実施例を説明するための携帯電話におけるシステム構成の外略図である。
【００３１】
図１において、基地局ＢＳ１乃至１１の各々は、無線ゾーンを構成し、ゾーン内の携帯電話機と無線回線にて通信を行う。また、各基地局ＢＳ１乃至１１は、制御局と有線回線にて接続されている。制御局は公衆網および情報センターと接続されている。
【００３２】
公衆網から移動局ＭＳ１に対して着信があった場合、制御局は、情報センター内の移動局ＭＳ１の位置登録情報を参照して、基地局ＢＳ１から移動局ＭＳ１に呼出信号を送出し、移動局ＭＳ１から応答があると、通話が開始される。
【００３３】
一方、移動局同士の発着信も同様に行うことができる。すなわち、移動局ＭＳ１からＭＳ２に対して発呼する場合、基地局ＢＳ１にて移動局ＭＳ１からの発呼信号を受信し、制御局にてＭＳ２の位置登録情報を参照して、登録されている基地局ＢＳ３を介して、移動局ＭＳ２に対して着信信号を送出する。移動局ＭＳ２にてこの着信信号に応答することにより、通話が開始される。
【００３４】
なお、同図において、基地局ＢＳ１乃至３および６を除く基地局については、実線により制御局と接続していないが、省略されているだけであり、実際には、接続されているものである。また、携帯電話機としては、ＰＨＳやＰＤＣの何れでもよい。さらに、携帯端末装置として、携帯電話機を例に示しているが、無線モデムや無線通信機能を有する携帯情報端末でもよい。
【００３５】
図２は、図１に示した移動局および基地局の構成ブロック図である。
【００３６】
図２において、移動局ＭＳは、アンテナを介して基地局ＢＳと無線による送受信を行う無線部１１と、無線部１１と接続された制御部１２とを備えている。無線部１１は、周知の高周波部、中間周波部、および変復調部を有し、制御部１２は、周知の送受信の制御、制御チャネル、通話チャネルの制御等を行う。
【００３７】
記憶部１３は、自局のＩＤ情報や、相手先電話番号を含む電話帳情報を格納している。表示部１４は、記憶部１３に格納された情報や、受信した情報を表示する。操作部１５は、テンキーや、ファンクションキー、電源キーを含みユーザーにより操作される。
【００３８】
音声処理部１６は、マイク１８からの音声を符号化して、音声信号を制御部１２へ送出するとともに、制御部１２からの受信した音声信号を復号してスピーカ１７へ送出する。
【００３９】
基地局ＢＳは、アンテナを介して移動局ＭＳと無線信号による送受信を行う無線部２１と、各種制御を行う制御部２２と、制御局とのインタフェースを行うＩ／Ｆ２３とから構成される。
【００４０】
図１において、基地局ＢＳから着信信号を送出する場合、移動局ＭＳの制御部１２は、記憶部１３に格納されたＩＤと着信信号に含まれるＩＤとを比較し、一致すると、着信報知手段（図示せず）より着信報知を行う。携帯者によりこの着信報知に対して操作部１５の開始（発信）ボタンが操作されると、制御部１２は、無線部１１から着信応答信号を送出する。基地局ＢＳにて着信応答信号を受信すると、通話チャネルを指定して、通話を開始する。
【００４１】
一方、移動局ＭＳから発信する場合には、操作部１５のテンキーから相手先がダイヤルされるか、または電話帳から選択されると、制御部１２は無線部１１から発呼信号を送出する。ダイヤルされた相手先の電話番号は、表示部１４に確認のため表示される。基地局ＢＳにて発信信号を受信すると、移動局ＭＳを呼出し状態とさせ、制御局とのインタフェースを確立し、相手先からの応答があると、通話回線を接続する。
【００４２】
以上の発着信に係る動作は、本発明に特有のものではなく、周知の技術が適用されるものである。
【００４３】
図３は、図１に示した制御局およびセンターの構成ブロック図である。
【００４４】
制御局は、基地局ＢＳとのインタフェースを行うＩ／Ｆ部３１と、公衆網とのインタフェースを行うＩ／Ｆ部３３と、センターとのインタフェースを行うＩ／Ｆ部３４と、各種制御を行う制御部３２とを有し、センターは、制御局とのインタフェースを行うＩ／Ｆ部４１と、各種制御を行う制御部４２と、位置登録情報を管理する管理テーブル４３とを有する。
【００４５】
制御局の制御部３２は、移動局への着信に際し、センターの制御部４２よりその移動局の位置登録情報を入手し、該当する位置の基地局ＢＳより着信信号を送出する。
【００４６】
これら制御局およびセンターの動作についても、移動局および基地局同様周知の技術を適用できる。
【００４７】
本願発明の特徴とするところは、センターにおいて、対となる移動局の情報および対となる移動局の距離に関する情報を管理し、これらの情報を移動局に通知することにある。
【００４８】
図４は、センターにおける管理テーブルの好適な一例を示す図である。
【００４９】
図４において、テーブルは、各移動局に対して、位置登録情報、サービス要求状態、対となる移動局、および対となる移動局との距離情報を含む。
【００５０】
各移動局ＭＳ１乃至Ｎについて、位置登録情報が対応して格納され、図４において、移動局ＭＳ１、２、３は、それぞれ、基地局ＢＳ１、３、５のゾーンに属していることがわかる。
【００５１】
また、各移動局について、待ち合わせモード等の相手移動局との距離に関する情報の提供サービスを要求しているか否かの情報が対応して格納される。図４において、移動局ＭＳ１および２がこのサービスを要求している。
【００５２】
さらに、相手移動局と相手移動局との距離に関する情報とが対となり、各移動局に対応して格納される。相手移動局とその距離に関する情報の対は、１つでもよいが、本実施例では、３対まで対応できることを示している。なお、対となる数は、これら実施例に制限されることはない。
【００５３】
図４においては、移動局ＭＳ１は、移動局ＭＳ３とＭＳ８（何れも不図示）との待ち合わせサービスの要求が登録されており、移動局ＭＳ１とＭＳ３との距離に関する情報として、「３」、移動局ＭＳ１とＭＳ８との距離に関する情報として、「１」と登録されている。また、移動局ＭＳ２は、移動局ＭＳ５（不図示）との待ち合わせサービスの要求が登録されており、移動局ＭＳ２とＭＳ５との距離に関する情報として、「２」と登録されている。
【００５４】
なお、センターにおいて、本発明に必要となる対の情報を管理するテーブルを位置登録情報を管理するテーブルとは別に構成してもよい。
【００５５】
図５は、移動局間の距離に関する情報を説明するための図であり、この距離に関する情報は、センターの管理テーブル４３または図示せぬ記憶部に格納されている。
【００５６】
図５において、移動局間の距離に関する情報としては、基地局間の配置間隔に応じた情報としている。
【００５７】
図５（Ａ）は、第１の好適な例であり、１つの基地局に対する他の基地局との配置間隔に応じた情報をあらかじめ格納している。例えば、基地局ＢＳ１について、他の基地局ＢＳ２乃至Ｎの各々との距離情報が格納されており、すべての基地局について、同様に格納されている。ここで、距離情報が、「２」は、比較的に近い位置にある基地局であることを示し、例えば、１乃至３セルの隣接範囲とすることができる。また、「３」は、比較的離れている位置にある基地局であることを示し、例えば、４セル以上離れていることを示している。
【００５８】
図５（Ｂ）は、他の好適な例を示しており、各基地局毎に、情報「２」に該当する基地局群、情報「３」に該当する基地局群として、グループ化されて格納されている。
【００５９】
図４に戻って、距離情報「２」および「３」は、図５に示した情報に対応し、それぞれ、１乃至３セルの範囲内であること、４セル以上はなれていることを示している。また、距離情報「１」は、同一セル内に移動局が存在する場合を示している。すなわち、移動局ＭＳ１と８とは同一基地局ＢＳ１内に存在することを示す。なお、図４における距離情報は、説明を容易にするためのものであり、図１のシステム構成図とは直接的には関係しない。
【００６０】
距離情報の設定については、制御部４２にて、少なくとも２つの移動局の位置登録情報を参照し、それぞれの移動局が同一位置情報を有している場合に、距離情報として「１」を設定し、同一位置情報を有していない場合には、図５に示したテーブルを参照して２つの基地局間情報に基づいて「２」または「３」を設定する。
【００６１】
図６は、本発明の動作を説明するためのシーケンスチャートである。
【００６２】
図６において、まず、移動局ＭＳ１は、センターに対して、待ち合わせモードを設定する。これは、例えば一般的な特番と呼ばれる操作等により行うことができる。この特番操作を行った後、待ち合わせを行う移動局の登録を行う。この登録において、移動局の電話番号を指定することが望ましい。
【００６３】
移動局ＭＳ１からの待ち合わせモード設定要求、すなわち、サービス要求は、現在のゾーンを構成する基地局にて受信され、制御局を介して、センターへ通知される。図６では、基地局ＢＳ２のゾーン内で、移動局ＭＳ１がサービス要求を行っている。
【００６４】
センターでは、サービス要求を受けると、図４に示した管理テーブルにて、サービス要求状態を設定する。図４では、「＊」を付加している。また、センターは、要求した移動局に対応して、指定された移動局を登録する。図４では、移動局ＭＳ３およびＭＳ８が指定されている。
【００６５】
センターでは、設定が完了すると、制御局および基地局ＢＳ２を介して移動局１に対して設定完了通知を行う。
【００６６】
次に、移動局ＭＳ１がゾーンを移動し、異なるゾーンに移動した場合、移動局ＭＳ１は、周知のとおり位置登録要求を行う。位置登録要求は、移動局ＭＳ１が存在するゾーンを構成する基地局（本実施例では、ＢＳ１）、制御局を介して、センターに通知され、位置登録情報が更新される。
【００６７】
センターでは、位置登録要求に応じて、サービス要求状態か否かを判断し、サービス要求を行っている移動局の位置登録要求である場合には、指定されている移動局ＭＳ３およびＭＳ８との距離に関する情報を位置レベルとして移動局ＭＳ１に対して通知する。
【００６８】
この通知は、待ち受けチャネルを使用して行われる。すなわち、基地局から送出される待ち受けチャネルのデータ中にサービス情報を挿入し、移動局では、その待ち受けチャネルを通常同様監視して、データ中のサービス情報、すなわち、位置情報データを抽出する。
【００６９】
なお、位置レベル通知は、サービス要求が解除されるまで、要求を行った移動局から位置登録要求がある度に、行われる。
【００７０】
ここで、指定された移動局との距離に関する情報の登録は、位置登録要求を受けた段階で行う。すなわち、待ち合わせ登録を受けたときには、指定された移動局番号のみ登録を行い、距離情報については、登録を行わない。その後、位置登録要求を受けた段階で、指定された移動局における現在の位置登録情報を参照して、同一ゾーンであれば、距離情報として「１」を設定すると共に、その情報を通知する。また、同一ゾーンでない場合には、図５に示した基地局の配置情報を参照して、距離情報「２」または「３」を登録するとともに、その情報を通知する。
【００７１】
位置レベル通知を受けた移動局ＭＳ１は、表示部１４に、受信した距離情報を表示することにより、ユーザに通知する。また、音により、報知を行うことも可能である。
【００７２】
待ち合わせモードの解除は、待ち合わせモードの登録同様、特番にて行うことが好ましい。
【００７３】
このように、本願発明では、自局がゾーンを移動するごとに、待ち合わせを行う人が所有する移動局との距離に関する情報を入手することができる。
【００７４】
また、情報の入手において、通話チャネルを使用しないため、通話回線が混雑している場合であっても、あらかじめ登録をしておくことにより、情報を入手することができる。
【００７５】
なお、上述した例では、待ち合わせモードの登録時点では、距離情報の登録を行わないが、この段階で、距離情報の登録を行うことも可能である。また、設定完了通知において、指定された移動局との距離に関する情報を通知することも可能である。
【００７６】
さらに、上述した例では、位置登録要求に応じて位置レベル通知を行っているが、待ち合わせモードの登録後、一定時間間隔で、位置レベル通知を行うことも可能である。この場合には、サービス要求した移動局がゾーンを移動しない場合にも、通知を受けることが可能となる。また、待ち合わせ場所にきてから、待ち合わせ登録を行っても、位置レベル通知を受けることが可能となる。
【００７７】
以上の実施例では、１つの移動局がサービス要求を登録すると、指定した移動局との距離に関する情報を入手することができるため、指定された移動局の同意を得ることなく、距離に関する情報が提供されることになる。そのため、ユーザにとっては、合意された場合にのみ情報を提供することが望まれる。
【００７８】
図７は、本発明の他の好適な実施例を説明するための図である。
【００７９】
図７においては、サービス提供を受ける移動局同士がサービス要求を行い、両者からの要求のうえで、情報提供を行っている。以下、説明の冗長を避けるために、図６の例と相違する点について説明する。
【００８０】
図７において、待ち合わせを行う移動局ＭＳ１およびＭＳ３は、待ち合わせモードの登録要求を行う。両者の登録要求があると、センターは、設定完了通知を行う。その後、一方の移動局がゾーンを移動して位置登録要求を行うと、センターは、両者の距離に関する情報を位置レベル通知として移動局ＭＳ１およびＭＳ３に通知する。
【００８１】
例えば、図４に示した実施例では、移動局ＭＳ１はＭＳ３およびＭＳ８を指定しているが、本動作に従うと、指定されている移動局ＭＳ３およびＭＳ８からサービス要求がないと、移動局ＭＳ１に対して情報提供は行われない。
【００８２】
このようにして、合意が得られている移動局同士で情報を共有しあうことが可能となる。
【００８３】
【発明の効果】
以上説明したように、本願発明では、待ち受けチャネルを使用することによって、通話チャネルを使用することなく、移動端末の位置情報を取得することが可能となる。
【００８４】
また、移動端末の位置登録要求に応答して位置情報を送出することにより、最小回数の設定により、移動端末の位置情報を複数回入手することが可能となる。
【００８５】
さらに、センター側にて対となる端末同士の位置関係を蓄積することにより、自端末と相手端末との位置関係に係わる情報を入手することが可能となる。
【図面の簡単な説明】
【図１】本発明の好適な一実施例を説明するための携帯電話におけるシステム構成の外略図。
【図２】図１に示した移動局および基地局の構成ブロック図。
【図３】図１に示した制御局およびセンターの構成ブロック図。
【図４】図３に示したセンターにおける管理テーブルの好適な一例を示す図。
【図５】移動局間の距離に関する情報を説明するための図。
【図６】本発明の好適な一実施例を説明するためのシーケンスチャート。
【図７】本発明の好適な他の実施例を説明するためのシーケンスチャート。
【符号の説明】
１１、２１    無線部
１２、２２、３２、４２    制御部
１３    記憶部
１４    表示部
１５    操作部
１６    音声処理部
１７    スピーカ
１８    マイク
２３、３１、３３、３４、４１    Ｉ／Ｆ
４３    管理テーブ
【図１】
0003990087.tif 000002
【図２】
0003990087.tif 000003
【図３】
0003990087.tif 000004
【図４】
0003990087.tif 000005
【図５】
0003990087.tif 000006
【図６】
0003990087.tif 000007
【図７】
0003990087.tif 000008